(57)【要約】【課題】暖房運転時に発生する冷媒流通音が低い多室形空気調和機を提供する。【解決手段】１台の室外機１９と、室外機１９に接続された複数台の室内機１６ａ、１６ｂ、１６ｃを有し、室外機１９には、圧縮機２、四方弁３、室外熱交換器４、室外膨張弁５、レシーバ８を備え、複数台の室内機１６ａ、１６ｂ、１６ｃのそれぞれは室内熱交換器６ａ〜６ｃ、室内膨張弁２１ａ〜２１ｃ、室内ファン１２ａ〜１２ｃを備えた多室形空気調和機において、室内膨張弁２１ａ〜２１ｃの全開開度をＡ、暖房運転時の前記室内膨張弁２１ａ〜２１ｃの開度をＢとしたとき、暖房運転時に、０．７＜（Ｂ／Ａ）＜１の範囲内の開度Ｂになるように、室内膨張弁２１ａ〜２１ｃを絞るもので、冷媒循環量が減少し、冷媒の流速も遅くなり、室内膨張弁２１ａ〜２１ｃ前後の冷媒回路から発生する冷媒流通音の低減を図り、静音化し、快適性の向上を図ることができる。【選択図】図４
2011047610.tif 000002
【特許請求の範囲】
【請求項１】
１台の室外機と、前記室外機に接続された複数台の室内機を有し、前記室外機には圧縮機、四方弁、室外熱交換器、室外膨張弁、レシーバを備え、前記複数台の室内機のそれぞれは室内熱交換器、室内膨張弁、室内ファンを備えた多室形空気調和機において、前記室内膨張弁の全開開度をＡ、暖房運転時の前記室内膨張弁の開度をＢとしたとき、暖房運転時に、０．７＜（Ｂ／Ａ）＜１の範囲内の開度Ｂになるように、前記室内膨張弁を絞ることを特徴とする多室形空気調和機。
【請求項２】
室内膨張弁の前後の配管を細径化したことを特徴とする請求項１に記載の多室形空気調和機。
【請求項３】
室内膨張弁の前後の配管に毛細管を備えたことを特徴とする請求項１又は２に記載の多室形空気調和機。
【請求項４】
室内膨張弁から室内熱交換器までの冷媒配管の途中に液溜め配管を備えたことを特徴とする請求項１〜３のいずれか１項に記載の多室形空気調和機。
【請求項５】
室内ファンの暖房運転時の通常回転数をＣとしたとき、暖房運転時ある一定時間が経過すると、前記室内ファンの回転数を、Ｃ＋所定回転数Ｄの回転数になるように増加させることを特徴とする請求項１〜４のいずれか１項に記載の多室形空気調和機。
【発明の詳細な説明】
【技術分野】
【０００１】
本発明は、暖房運転時の室内冷媒回路から発生する冷媒流通音の低減を図った多室形空気調和機に関するものである。
【背景技術】
【０００２】
従来の多室形空気調和機は、室内膨張弁から室内熱交換器までの配管部に毛細管を有していた（例えば、特許文献１参照）。図４は、上記特許文献１に記載された従来の多室形空気調和機の一例を示す冷凍サイクル図である。
【０００３】
図４において、１は、多室形空気調和機本体で、圧縮機２と、冷媒の循環方向を切り換える四方弁３と、室外熱交換器４と、前記冷媒の流量を制御する室外膨張弁５と、冷媒配管７および複数台の室内熱交換器６ａ〜６ｃ等で構成され、複数台の室内機１６ａ〜１６ｃと室外機１９に分かれている。
【０００４】
１０は、室外熱交換器４を通過する空気流を発生させる室外ファン、１２ａ〜１２ｃは室内熱交換器６ａ〜６ｃをそれぞれ通過する空気流を発生させる室内ファンである。また、９は、圧縮機２の冷媒流出側に設けられた吐出温度検出手段、１１は、室外熱交換器４の所定位置に設けられた室外熱交温度検出手段、２０は、室外熱交換器４の風上側の所定位置に設けられた室外吸込温度検出手段、１３ａ〜１３ｃは、室内熱交換器６ａ〜６ｃの所定位置にそれぞれ設けられた室内熱交温度検出手段、１４ａ〜１４ｃは室内熱交換器６ａ〜６ｃの風上側の所定位置にそれぞれ設けられた室内吸込温度検出手段である。
【０００５】
１５ａ〜１５ｃは、リモートコントローラ１７ａ〜１７ｃの信号をそれぞれ受信する室内制御器、１８は、室内制御器１５ａ〜１５ｃと通信を行う室外制御器である。２１ａ〜２１ｃは室内膨張弁である。８は、レシーバである。
【０００６】
図５は、上記特許文献１に記載された従来の多室形空気調和機の室内膨張弁２１ａの前後の配管図の一例である。
【０００７】
図５に示すように、室内膨張弁２１ａから室内熱交換器６ａまでの冷媒配管７に毛細管２２およびマフラー２３が設けられている。７ａ、７ｂは、それぞれ、冷媒配管７を構成する液管及びガス管である。図中の矢印の向き（ガス管７ｂから液管７ａへの向き）は、暖房時の冷媒の流れを示し、冷房時の冷媒の流れは、暖房時と逆の流れとなる。室内膨張弁２１ｂから室内熱交換器６ｂまでの冷媒配管７及び室内膨張弁２１ｃから室内熱交換器６ｃまでの冷媒配管７についても同じく、毛細管２２およびマフラー２３が設けられている。
【先行技術文献】
【特許文献】
【０００８】
【特許文献１】特開平３−１１３２５０号公報
【発明の概要】
【発明が解決しようとする課題】
【０００９】
しかしながら、前記従来の多室形空気調和機の構成では、暖房運転時に室内冷媒回路から冷媒流通音が発生し、実聴感が悪いという課題を有していた。
【００１０】
本発明は、前記従来の課題を解決するもので、暖房運転時の室内冷媒回路から発生する
冷媒流通音の低減を図った多室形空気調和機を提供することを目的とする。
【課題を解決するための手段】
【００１１】
前記従来の課題を解決するために、本発明の多室形空気調和機は、１台の室外機と、前記室外機に接続された複数台の室内機を有し、前記室外機には圧縮機、四方弁、室外熱交換器、室外膨張弁、レシーバを備え、前記複数台の室内機のそれぞれは室内熱交換器、室内膨張弁、室内ファンを備えた多室形空気調和機において、前記室内膨張弁の全開開度をＡ、暖房運転時の前記室内膨張弁の開度をＢとしたとき、暖房運転時に、０．７＜（Ｂ／Ａ）＜１の範囲内の開度Ｂになるように、前記室内膨張弁を絞るもので、冷媒循環量が減少し、冷媒の流速も遅くなり、室内膨張弁前後の冷媒回路から発生する冷媒流通音の低減を図り、静音化し、快適性の向上を図ることができる。
【発明の効果】
【００１２】
本発明の多室形空気調和機は、暖房運転時の室内冷媒回路から発生する冷媒流通音を低減することができる。その結果、多室形空気調和機を静音化し、快適性の向上が図れる。
【図面の簡単な説明】
【００１３】
【図１】本発明の実施の形態２における多室形空気調和機の室内膨張弁の前後の配管図
【図２】本発明の実施の形態３における多室形空気調和機の室内膨張弁の前後の配管図
【図３】本発明の実施の形態４における多室形空気調和機の室内膨張弁の前後の配管図
【図４】従来の多室形空気調和機の冷凍サイクル図
【図５】同多室形空気調和機の室内膨張弁前後の配管図
【発明を実施するための形態】
【００１４】
第１の発明は、１台の室外機と、前記室外機に接続された複数台の室内機を有し、前記室外機には圧縮機、四方弁、室外熱交換器、室外膨張弁、レシーバを備え、前記複数台の室内機のそれぞれは室内熱交換器、室内膨張弁、室内ファンを備えた多室形空気調和機において、前記室内膨張弁の全開開度をＡ、暖房運転時の前記室内膨張弁の開度をＢとしたとき、暖房運転時に、０．７＜（Ｂ／Ａ）＜１の範囲内の開度Ｂになるように、前記室内膨張弁を絞るもので、冷媒循環量が減少し、冷媒の流速も遅くなり、室内膨張弁前後の冷媒回路から発生する冷媒流通音の低減を図り、静音化し、快適性の向上を図ることができる。
【００１５】
第２の発明は、特に、第１の発明の室内膨張弁の前後の配管を細径化したもので、冷媒循環量が減少し、冷媒の流速も遅くなり、室内膨張弁前後の冷媒回路から発生する冷媒流通音の低減を図り、静音化し、快適性の向上を図ることができる。
【００１６】
第３の発明は、特に、第１又は第２の発明の室内膨張弁の前後の配管に毛細管を備えたもので、冷媒循環量が減少し、冷媒の流速も遅くなり、室内膨張弁前後の冷媒回路から発生する冷媒流通音の低減を図り、静音化し、快適性の向上を図ることができる。
【００１７】
第４の発明は、特に、第１〜３のいずれか一つの発明の室内膨張弁から室内熱交換器までの冷媒配管の途中に液溜め配管を備えたもので、冷媒循環量が減少し、冷媒の流速も遅くなり、室内膨張弁前後の冷媒回路から発生する冷媒流通音の低減を図り、静音化し、快適性の向上を図ることができる。
【００１８】
第５の発明は、特に、第１〜４のいずれか一つの発明の室内ファンの暖房運転時の通常
回転数をＣとしたとき、暖房運転時ある一定時間が経過すると、前記室内ファンの回転数を、Ｃ＋所定回転数Ｄの回転数になるように増加させるもので、室内ファン音のマスキング効果により、室内膨張弁前後の冷媒回路から発生する冷媒流通音の低減を図り、静音化し、快適性の向上を図ることができる。
【００１９】
以下、本発明の実施の形態について、図面を参照しながら説明する。なお、この実施の形態によって本発明が限定されるものではない。
【００２０】
（実施の形態１）
表１は、本発明の実施の形態１における多室形空気調和機の室内膨張弁の開度を変えたときの騒音値と実聴感を示すものである。尚、本実施の形態における多室形空気調和機の冷凍サイクル図は、従来の多室形空気調和機の冷凍サイクル図（図４）と同じなので、その構成の説明は省略する。
【００２１】
【表１】
2011047610.tif 000003
【００２２】
暖房運転時には、図４に示すように、冷媒は、破線の矢印の向きに流れるが、このとき、本実施の形態では、室内膨張弁２１ａの全開開度をＡ、暖房運転時の室内膨張弁２１ａ開度をＢとしたときに、暖房運転時には、０．７＜（Ｂ／Ａ）＜１の範囲内の開度Ｂになるように室内膨張弁２１を絞るようにしたものである。
【００２３】
これにより、暖房運転時は、冷媒循環量が減少し、冷媒の流速も遅くなり、室内膨張弁２１ａの前後の冷媒回路から発生する冷媒流通音の低減を図り、表１に示すように、静音化が図られ、快適性の向上を図ることができる。
【００２４】
なお、上記実施の形態では、暖房運転時に、室内膨張弁２１ａの開度を、０．７＜（Ｂ／Ａ）＜１の範囲内に入るようにしたが、室内膨張弁２１ｂ、２１ｃの開度も同様に０．７＜（Ｂ／Ａ）＜１の範囲内の開度Ｂになるようにすれば良い。
【００２５】
（実施の形態２）
図１は、本発明の実施の形態２における多室形空気調和機の室内膨張弁の前後の配管図である。尚、上記従来の多室形空気調和機の冷凍サイクル図と同一部分には同一符号を付してその説明は、省略する。
【００２６】
図１において、暖房運転時は、矢印の向きに冷媒が流れる。本実施の形態では、室内膨張弁２１ａ本体の第１配管２５ａおよび第２配管２５ｂを細径化したものである。
【００２７】
本実施の形態における多室形空気調和機は、以上のように構成されているので、暖房運転時は、冷媒循環量が減少し、冷媒の流速も遅くなり、室内膨張弁２１ａ前後の冷媒回路から発生する冷媒流通音の低減を図り、静音化し、快適性の向上を図ることができる。
【００２８】
上記実施の形態では、室内膨張弁２１ａ本体の第１配管２５ａおよび第２配管２５ｂに
ついて述べたが、室内膨張弁２１ｂ、２１ｃの第１配管２５ａおよび第２配管２５ｂも同様に細径化すれば、室内膨張弁２１ｂ、２１ｃ前後の冷媒回路から発生する冷媒流通音の低減が図れることは、言うまでもない。
【００２９】
（実施の形態３）
図２は、本発明の実施の形態３における多室形空気調和機の室内膨張弁の前後の配管図である。尚、上記実施の形態における多室形空気調和機と同一部分については、同一符号を付して、その説明を省略する。
【００３０】
図２において、暖房運転時は、矢印の向きに冷媒が流れる。本実施の形態では、それぞれの室内膨張弁２１ａ、２１ｂ、２１ｃの前後の第１配管２５ａと第２配管２５ｂのそれぞれに毛細管２２を備えたものである。
【００３１】
本実施の形態における多室形空気調和機は、以上のように構成されているので、暖房運転時は冷媒循環量が減少し、冷媒の流速も遅くなり、室内膨張弁２１ａ、２１ｂ、２１ｃの前後の冷媒回路から発生する冷媒流通音の低減をさらに図り、静音化し、快適性の向上を図ることができる。
【００３２】
（実施の形態４）
図３は、本発明の実施の形態４における多室形空気調和機１の室内膨張弁２１前後の配管図である。尚、上記実施の形態における多室形空気調和機と同一部分については、同一符号を付して、その説明を省略する。
【００３３】
図３において、暖房運転時は、矢印の向きに冷媒が流れる。本実施の形態は、それぞれの室内膨張弁２１ａ、２１ｂ、２１ｃからそれぞれの室内熱交換器６ａ、６ｂ、６ｃまでの冷媒配管７に液溜め配管２４を備え、液溜め配管２４に冷媒を溜めるようにしたものである。
【００３４】
本実施の形態における多室形空気調和機は、以上のように構成されているので、暖房運転時は、冷媒循環量が減少し、冷媒の流速も遅くなり、室内膨張弁２１ａ、２１ｂ、２１ｃ前後の冷媒回路から発生する冷媒流通音の低減を図り、静音化し、快適性の向上を図ることができる。
【００３５】
尚、暖房運転時の室内ファン１２の通常回転数をＣとしたときに、暖房運転時ある一定時間が経過したら、Ｃ＋所定回転数Ｄの回転数になるように、室内ファン１２の回転数を増加させるようにすれば、室内ファン１２の音のマスキング効果により、暖房運転時の室内膨張弁２１ａの前後の冷媒回路から発生する冷媒流通音の一層の低減を図り、静音化し、さらなる快適性の向上を図ることができる。
【産業上の利用可能性】
【００３６】
以上のように、本発明にかかる多室形空気調和機は、暖房運転時の室内冷媒回路から発生する冷媒流通音を低減することができ、静音化し、快適性の向上が図ることが可能となるので、多室形空気調和機で、特に室内機に膨張弁を内蔵するインバ−タ機等の用途に適用できる。
【符号の説明】
【００３７】
１  多室形空気調和機本体
２  圧縮機
３  四方弁
４  室外熱交換器
５  室外膨張弁
６ａ〜６ｃ  室内熱交換器
７  冷媒配管
７ａ  液管
７ｂ  ガス管
８  レシーバ
９  吐出温度検出手段
１０  室外ファン
１１  室外熱交温度検出手段
１２ａ〜１２ｃ  室内ファン
１３ａ〜１３ｃ  室内熱交温度検出手段
１４ａ〜１４ｃ  室内吸込温度検出手段
１５ａ〜１５ｃ  室内制御器
１６ａ〜１６ｃ  室内機
１７ａ〜１７ｃ  リモートコントローラ
１８  室外制御器
１９  室外機
２０  室外吸込温度センサ
２１ａ〜２１ｃ  室内膨張弁
２２  毛細管
２３  マフラー
２４  液溜め配管
２５ａ  第１配管（配管）
２５ｂ  第２配管（配管）
【図１】
2011047610.tif 000004
【図２】
2011047610.tif 000005
【図３】
2011047610.tif 000006
【図４】
2011047610.tif 000007
【図５】
2011047610.tif 000008